(57)【要約】 【課題】  シール部材の挿入作業を円滑に行うことのできる防水コネクタを提供することにある。【解決手段】  係止突起２３が押圧部２２において押圧面２２Ａの裏面側に組み付け治具Ｊの押し当て方向に沿って突設されている。このような構成によれば、組み付け治具Ｊからの押圧力を係止突起２３の係止孔１６への挿通方向に沿って作用させやすくなるので、突起頭部２５の係止孔１６への押し込み力を安定させやすい。また、突起頭部２５の外周縁がガイド溝１８に嵌まり合うことでシールリング２０の位置決めを行えるから、係止突起２３と係止孔１６との位置合わせを確実に行うことができる。これらにより、シールリング２０の挿入作業を円滑に行うことができる。【選択図】  図１
2006156081.tif 000002
【特許請求の範囲】
【請求項１】
端子金具を収容可能な端子収容部とこの端子収容部を取り囲むように設けられるフード部とからなるハウジングと、前記端子収容部と前記フード部との間に設けられて相手側ハウジングを収容可能な嵌合空間と、この嵌合空間内に装着されて前記ハウジングと前記相手側ハウジングとの間に挟み付けられることで前記ハウジングと前記相手側ハウジングとの間をシールするシール部材とを備えた防水コネクタであって、
前記嵌合空間の内周面にはこの嵌合空間への前記シール部材の挿入方向に沿って延びるガイド溝が設けられ、前記嵌合空間の奥壁部には前記シール部材の挿入方向に貫通する係止孔が設けられているとともに、
前記シール部材には前記嵌合空間において前記相手側ハウジングの嵌合領域に張り出すとともにこのシール部材を前記組付空間に押し込むための組み付け治具を押し当て可能な押圧面を備えた押圧部と、前記押圧部において前記押圧面の裏面側に前記組み付け治具の押し当て方向に沿って突設されるとともに前記係止孔に係合可能な係止突起とが設けられ、かつ、前記押圧部と前記係止突起との少なくとも一方の張り出し端部が前記ガイド溝に嵌まり合うようにされていることを特徴とする防水コネクタ。
【発明の詳細な説明】
【技術分野】
【０００１】
本発明は、防水コネクタに関する。
【背景技術】
【０００２】
図９には、実開昭６３−１６２４７０号公報に開示された防水コネクタ１００を示した。この防水コネクタ１００は、端子収容部１０１の外周に相手側コネクタ１１０のフード部１１１を受け入れ可能な嵌合空間１０２が設けられ、この嵌合空間１０２内部に筒状のシール部材１０３が装着されたものである。そして、このシール部材１０３によって端子収容部１０１の外周面とフード部１１１の内周面との隙間がシールされるようになっている。
ところで、この種の防水コネクタ１００では、メンテナンス等の必要により相手側コネクタ１１０を取り外す際に、シール部材１０３が一緒になって嵌合空間１０２から脱落してしまうことがある。そこで、これを防止する手段として、嵌合空間１０２の奥壁に保持孔１０４を設けるともに、シール部材１０３の後端には先端に径大の突起頭部１０５Ａを設けた棒状の係止突起１０５を形成している。そして、この係止突起１０５における突起頭部１０５Ａを保持孔１０４の孔縁に係止させることによって、シール部材１０３の前方への遊動、即ち嵌合空間１０２からの離脱を規制するようになっている。
【特許文献１】実開昭６３−１６２４７０号公報
【発明の開示】
【発明が解決しようとする課題】
【０００３】
ところが、上記のような構成では、シール部材１０３が円周方向に回転して係止突起１０５と保持孔１０４とが位置ずれする場合があること、シール部材１０３を嵌合空間１０２内に取り付ける際に、係止突起１０５の突起頭部１０５Ａを潰しつつ保持孔１０４に通す必要があるために、大きな挿入抵抗を受けて係止突起１０５が座屈する場合があること、等の事情から、挿入作業に手間取るおそれがあった。
【０００４】
本発明は、上記した事情に鑑みてなされたものであり、その目的は、シール部材の挿入作業を円滑に行うことのできる防水コネクタを提供することにある。
【課題を解決するための手段】
【０００５】
上記の課題を解決するための請求項１の発明に係る防水コネクタは、端子金具を収容可能な端子収容部とこの端子収容部を取り囲むように設けられるフード部とからなるハウジングと、前記端子収容部と前記フード部との間に設けられて相手側ハウジングを収容可能な嵌合空間と、この嵌合空間内に装着されて前記ハウジングと前記相手側ハウジングとの間に挟み付けられることで前記ハウジングと前記相手側ハウジングとの間をシールするシール部材とを備えた防水コネクタであって、前記嵌合空間の内周面にはこの嵌合空間への前記シール部材の挿入方向に沿って延びるガイド溝が設けられ、前記嵌合空間の奥壁部には前記シール部材の挿入方向に貫通する係止孔が設けられているとともに、前記シール部材には前記嵌合空間において前記相手側ハウジングの嵌合領域に張り出すとともにこのシール部材を前記組付空間に押し込むための組み付け治具を押し当て可能な押圧面を備えた押圧部と、前記押圧部において前記押圧面の裏面側に前記組み付け治具の押し当て方向に沿って突設されるとともに前記係止孔に係合可能な係止突起とが設けられ、かつ、前記押圧部と前記係止突起との少なくとも一方の張り出し端部が前記ガイド溝に嵌まり合うようにされていることを特徴とする。
【発明の効果】
【０００６】
請求項１の発明によれば、係止突起が押圧部において押圧面の裏面側に組み付け治具の押し当て方向に沿って突設されている。このような構成によれば、組み付け治具からの押圧力を係止突起の係止孔への挿通方向に沿って作用させやすくなるので、係止突起の係止孔への押し込み力を安定させやすい。また、押圧部と係止突起との少なくとも一方の張り出し端部をガイド溝に嵌まり合うガイド部として利用しているから、簡易な構造で係止突起と係止孔との位置合わせを確実に行うことができる。これらにより、シール部材の挿入作業を円滑に行うことができる。
【発明を実施するための最良の形態】
【０００７】
以下、本発明の防水コネクタを具体化した実施形態について、図１〜図６を参照しつつ詳細に説明する。本実施形態の防水コネクタ１には、相手側ハウジング（図示せず）と嵌合可能なハウジング１０が備えられ、このハウジング１０の内部にはシールリング２０が装着されるようになっている。なお、以下の説明において、ハウジング１０の相手側ハウジングとの嵌合面側を前方とする。
【０００８】
防水コネクタ１のハウジング１０は合成樹脂によって一体に形成されており、端子収容部１１と、この端子収容部１１の周囲に設けられたフード部１２とを備えている。
【０００９】
端子収容部１１は、全体として横長のブロック状に形成されており、その内部には、端子金具（図示せず）を受け入れ可能な複数のキャビティ１４が前後方向に貫通して設けられている。
【００１０】
フード部１２は、前後方向に開放されて端子収容部１１の周囲を囲う筒状に形成されており、前後方向中央よりやや後側位置において内側に突設された連結壁１３（本発明の奥壁部に該当する）によって端子収容部１１と連結されている。これら端子収容部１１とフード部１２と連結壁１３とで囲まれた空間は、前方に開口するとともに後述するシールリング２０および相手側ハウジングを前方から嵌め入れ可能な有底の嵌合空間１５とされている。なお、端子収容部１１の外周面１１Ａにおいて連結壁１３との接合位置からやや前方にかけての領域にはその前方部分よりも拡径された段差部１９が設けられている。
【００１１】
連結壁１３には後述するシールリング２０に設けられた係止突起２３を係止するための係止孔１６が厚さ方向（シールリング２０の挿入方向）に貫通形成されている。この係止孔１６は、端子収容部１１を挟んで対称位置に左右一対が設けられている。そして、フード部１２の内周面１２Ａには、この係止孔１６の外側位置に、断面半円状に形成された左右一対のガイド溝１８が設けられている。このガイド溝１８は、フード部１２前端の開口縁から連結壁１３に至る位置に前後方向（シールリング２０の挿入方向）に沿って設けられている。
【００１２】
また、このフード部１２の外周面には、外周側に向かって膨出される膨出部が設けられており、ここには、上下方向に揺動可能に形成されるとともに相手側ハウジングのロック突起に係合することでハウジング１０と相手側ハウジングとを離間不能に保持するロックアーム１７が設けられている。
【００１３】
嵌合空間１５内には、弾性部材（例えばゴム）からなるシールリング２０（本発明のシール部材に該当する）が装着されている。シールリング２０は円環状に形成されて嵌合空間１５の奥端位置に収容されており、その内周面２０Ａが端子収容部１１の外周面１１Ａに密着されている。また、シールリング２０の内周面２０Ａおよび外周面２０Ｂには、複数条のリップ２１が設けられている。
【００１４】
シールリング２０の外周面２０Ｂには、平板状に形成された左右一対の押圧部２２が対称位置に設けられている。これらの押圧部２２は、シールリング２０における外周面２０Ｂの後端部から径方向外側に向かって張り出し形成されており、その張り出し先端がフード部１２の内周面１２Ａに達している。この押圧部２２の前側面は、シールリング２０を嵌合空間１５内に挿入する際に組み付け治具Ｊを受ける押圧面２２Ａとされている。
【００１５】
この押圧部２２の後側面（押圧面２２Ａの裏面）には、連結壁１３に設けられた係止孔１６と整合する位置に係止突起２３が突設されている。この係止突起２３は、押圧面２２Ａの裏面側から後方に突設される軸部２４と、この軸部２４の後端に設けられた突起頭部２５とで構成されている。軸部２４はその軸方向がシールリング２０の挿入方向、すなわち組み付け治具Ｊの押し当て方向に沿って延びる円柱状に形成されて、押圧部２２の後側面から連結壁１３の厚み分だけ後方に突出されている。また、突起頭部２５は軸部２４よりもやや径大に形成されての係止孔１６の後面側の孔縁に係合可能な係合部２５Ａと、この係合部２５Ａの後端面から後端側に向かって先細りとなる円錐状に形成された円錐部２５Ｂと、この円錐部２５Ｂの頂点に径小の円柱状に形成された頂点部２５Ｃとからなっている。また、係合部２５Ａの外周縁は押圧部２２の張り出し端よりもやや外周側に突出されてガイド溝１８と嵌まり合うようになっている。なお、シールリング２０における内周面２０Ａの後端部には、全周にわたって拡径されて端子収容部１１の段差部１９と整合する段差受け部２６が設けられている。
【００１６】
このハウジング１０に相手側ハウジングを嵌合させる際には、相手側ハウジングのスカート部をハウジング１０の嵌合空間１５内に進入させる。両ハウジングが正規の嵌合状態に至ると、両雌雄の端子金具が接合されるとともに、防水コネクタ１のフード部１２に設けられたロックアーム１７が相手側ハウジングに設けられたロック突起に係合することにより、両ハウジングが抜け止め状態に保持される。また、スカート部の先端部がシールリング２０の外周面２０Ｂとフード部１２の内周面１２Ａとの間の空間に進入し、シールリング２０の内周面２０Ａおよび外周面２０Ｂに設けられたリップ２１が押し潰されてスカート部の内周面および端子収容部１１の外周面１１Ａに押し付けられる。これにより、両ハウジング間の防水性が保たれる。
【００１７】
次に、上記のように構成された本実施形態の作用および効果について説明する。
【００１８】
シールリング２０を防水コネクタ１のハウジング１０に対して組み付けるには、まずシールリング２０における係止突起２３の係合部２５Ａをガイド溝１８に整合させつつ、シールリング２０を端子収容部１１の前端部分に嵌め合わせた状態にセットする。そして、組み付け治具Ｊを利用してこのシールリング２０における押圧部２２の押圧面２２Ａを押圧し、シールリング２０を嵌合空間１５の奥方へ向かって押し込んでゆく。このとき、ガイド溝１８が係止突起２３を案内することにより、シールリング２０が端子収容部１１の周りで周方向に回転して係止突起２３と係止孔１６とが位置ずれしてしまうことが防がれる。
【００１９】
シールリング２０の後端部に形成された係止突起２３が嵌合空間１５の奥端面に達すると、この係止突起２３が係止孔１６に進入し、突起頭部２５の外周部分が押し潰されながら係止孔１６を通過する。ここで、突起頭部２５の外周と係止孔１６の内周との間には摺接抵抗が生じるが、係止突起２３が押圧部２２において組み付け治具Ｊが押し当てられる押圧面２２Ａの裏面側に設けられ、かつ組み付け治具Ｊの押し当て方向に沿って突設されているから、組み付け治具Ｊからの押圧力を係止突起２３の軸方向、すなわち係止突起２３の係止孔１６への押し込み方向に沿って作用させることができ、係止突起２３に安定した押し込み力をかけることができる。これにより、係止突起２３の係止孔１６への挿通を円滑に行わせることができる。
【００２０】
そして、さらにシールリング２０の後端面が嵌合空間１５の奥端面に達するまでこのシールリング２０を押し込んでゆくと、突起頭部２５が連結壁１３の後側に突出して復元変形し、係止孔１６の後端側の孔縁に係止される。これにより、シールリング２０が抜け止め状態に保持される。
【００２１】
以上のように本実施形態によれば、係止突起２３が押圧部２２において押圧面２２Ａの裏面側に組み付け治具Ｊの押し当て方向に沿って突設されている。このような構成によれば、組み付け治具Ｊからの押圧力を係止突起２３の係止孔１６への挿通方向に沿って作用させやすくなるので、突起頭部２５の係止孔１６への押し込み力を安定させやすい。また、突起頭部２５の外周縁がガイド溝１８に嵌まり合うことでシールリング２０の位置決めを行えるから、係止突起２３と係止孔１６との位置合わせを確実に行うことができる。これらにより、シールリング２０の挿入作業を円滑に行うことができる。
【００２２】
＜他の実施形態＞
本発明の技術的範囲は、上記した実施形態によって限定されるものではなく、例えば、次に記載するようなものも本発明の技術的範囲に含まれる。その他、本発明の技術的範囲は、均等の範囲にまで及ぶものである。
【００２３】
（１）上記実施形態では、突起頭部２５の外周縁がガイド溝１８に嵌め合わせられていたが、突起頭部に代えて押圧部の突出端がガイド溝に嵌め合わせられるようにしても良い。また、図７および図８に示す防水コネクタ３０のように、押圧部３１の突出端が突起頭部３２の外周縁と同位置まで張り出され、双方がガイド溝３３に嵌め合わせられるようにしても良い。
（２）上記実施形態では、端子収容部１１の外周面１１Ａにシールリング３３が装着され、この端子収容部の外周面１１Ａとスカート部の内周面との間でシールリング３３が挟み付けられるようにされていたが、フード部１２の内周面１２Ａにシール部材が装着され、このフード部１２の内周面１２Ａとスカート部の外周面との間でシール部材が挟み付けられるようにされてもよい。この場合、シール部材の内周側に押圧部が張り出し形成されていても良い。
【図面の簡単な説明】
【００２４】
【図１】本実施形態の防水コネクタのハウジングの正面図
【図２】シールリングを装着したハウジングの断面図
【図３】ハウジングの側断面図
【図４】シールリングの正面図
【図５】シールリングの側面図
【図６】シールリングがハウジング内に挿入される途中の様子を示す側断面図
【図７】他の実施形態のシールリングの側面図
【図８】他の実施形態のシールリングが装着されたハウジングの部分拡大断面図
【図９】従来のコネクタハウジングの側断面図
【符号の説明】
【００２５】
１…防水コネクタ
１０…ハウジング
１１…端子収容部
１２…フード部
１５…嵌合空間
１３…連結壁（奥壁部）
１６…係止孔
１８…ガイド溝
２２Ａ…押圧面
２２…押圧部
２３…係止突起
３０…シールリング（シール部材）
【図１】
2006156081.tif 000003
【図２】
2006156081.tif 000004
【図３】
2006156081.tif 000005
【図４】
2006156081.tif 000006
【図５】
2006156081.tif 000007
【図６】
2006156081.tif 000008
【図７】
2006156081.tif 000009
【図８】
2006156081.tif 000010
【図９】
2006156081.tif 000011